(57)【要約】【課題】  交換ユニット本体が梱包箱または梱包材に梱包されている状態のときにも、非接触型メモリタグとリーダ・ライタとの間の通信が不可能となることを防止し、かつ、交換ユニット本体の使用時には、交換ユニット本体のメモリアクセス可能な所定の位置に非接触型メモリタグを取り付けることの可能な交換ユニットを提供する。【解決手段】  所定の装置に交換可能に装着させて用いられる交換ユニット（トナーボトル）において、交換ユニット本体（トナーボトル本体）が梱包箱または梱包材に梱包されているときには、使用時に交換ユニット本体に取り付けられるべき非接触型メモリタグＲＦＩＤは、梱包箱または梱包材のメモリアクセス可能な所定の位置Ａに設置されていることを特徴としている。【選択図】      図３
2006194947.tif 000002
【特許請求の範囲】
【請求項１】
所定の装置に交換可能に装着させて用いられる交換ユニットにおいて、交換ユニット本体が梱包箱または梱包材に梱包されているときには、使用時に交換ユニット本体に取り付けられるべき非接触型メモリタグは、梱包箱または梱包材のメモリアクセス可能な所定の位置に設置されていることを特徴とする交換ユニット。
【請求項２】
請求項１記載の交換ユニットにおいて、交換ユニット本体が梱包箱または梱包材に梱包されているときに、梱包箱または梱包材に設置されている非接触型メモリタグと交換ユニット本体とは所定の接続手段によって接続されていることを特徴とする交換ユニット。
【請求項３】
請求項１または請求項２記載の交換ユニットにおいて、前記非接触型メモリタグは、交換ユニット本体に取り付けるためのテープ材を有していることを特徴とする交換ユニット。
【請求項４】
請求項１または請求項２記載の交換ユニットにおいて、前記非接触型メモリタグは、交換ユニット本体に取り付けるための複数枚貼り合わされた両面テープ部分を有していることを特徴とする交換ユニット。
【請求項５】
請求項１または請求項２記載の交換ユニットにおいて、前記非接触型メモリタグが取り付けられるべき交換ユニットのメモリアクセス可能な所定の位置には、前記非接触型メモリタグを取り付けるための爪構造が設けられていることを特徴とする交換ユニット。
【請求項６】
請求項１乃至請求項５のいずれか一項に記載の交換ユニットにおいて、前記梱包箱または梱包材には、前記非接触型メモリタグを収納するための収納部分が設けられていることを特徴とする交換ユニット。
【請求項７】
請求項１乃至請求項６のいずれか一項に記載の交換ユニットにおいて、前記所定の装置は、画像形成装置であることを特徴とする交換ユニット。
【請求項８】
交換ユニット本体への非接触型メモリタグの取り付け方法であって、梱包箱または梱包材に梱包されている交換ユニット本体を梱包箱または梱包材から取り出して所定の装置に装着して用いるときには、梱包箱または梱包材に当初設置されている非接触型メモリタグを交換ユニット本体のメモリアクセス可能な所定の位置に移しかえて取り付けることを特徴とする非接触型メモリタグの取り付け方法。
【請求項９】
請求項８記載の非接触型メモリタグの取り付け方法において、複数枚貼り合わされた両面テープ部分を非接触型メモリタグが有している場合に、非接触型メモリタグの取り付け位置の変更の際には、使用済みのテープを剥がして使用することを特徴とする非接触型メモリタグの取り付け方法。
【発明の詳細な説明】
【技術分野】
【０００１】
本発明は、交換ユニットおよび非接触型メモリタグの取り付け方法に関する。
【背景技術】
【０００２】
従来、電子写真方式を用いた画像形成装置では、ユーザやサービス担当者が消耗品や寿命部品を容易に交換できるようにカートリッジ方式が広く用いられている。近年では、カートリッジの情報やリサイクルや消耗品の残量などを管理するための情報記録媒体（以下、メモリという）を搭載したものも使用されるようになってきた。
【０００３】
例えば特許文献１には、アンテナを用いた非接触型メモリタグが提案されている。
【０００４】
【特許文献１】特開平１０−２２１９３８号公報
【発明の開示】
【発明が解決しようとする課題】
【０００５】
非接触型メモリタグの場合は、メモリタグとリーダ・ライタのアンテナとの間が離れた状態でもデータの読み出し／書き込みが可能であるが、カートリッジ（交換ユニット）に取り付けるためにメモリタグのアンテナの大きさは制限されるので、通信可能な距離も短くなる。また、アンテナおよびメモリタグは、周辺の金属に影響を受けやすいため、カートリッジ（交換ユニット）に取り付ける際も位置の制約が多い。
【０００６】
このため、カートリッジ（交換ユニット）にメモリタグを実装したとき、メモリタグの取り付け位置によって、梱包した状態ではメモリタグとリーダ・ライタとの間の通信が不可能となる場合もある。
【０００７】
本発明は、交換ユニット本体が梱包箱または梱包材に梱包されている状態のときにも、非接触型メモリタグとリーダ・ライタとの間の通信が不可能となることを防止し、かつ、交換ユニット本体の使用時には、交換ユニット本体のメモリアクセス可能な所定の位置に非接触型メモリタグを取り付けることの可能な交換ユニットおよび非接触型メモリタグの取り付け方法を提供することを目的としている。
【課題を解決するための手段】
【０００８】
上記目的を達成するために、請求項１記載の発明は、所定の装置に交換可能に装着させて用いられる交換ユニットにおいて、交換ユニット本体が梱包箱または梱包材に梱包されているときには、使用時に交換ユニット本体に取り付けられるべき非接触型メモリタグは、梱包箱または梱包材のメモリアクセス可能な所定の位置に設置されていることを特徴としている。
【０００９】
また、請求項２記載の発明は、請求項１記載の交換ユニットにおいて、交換ユニット本体が梱包箱または梱包材に梱包されているときに、梱包箱または梱包材に設置されている非接触型メモリタグと交換ユニット本体とは所定の接続手段によって接続されていることを特徴としている。
【００１０】
また、請求項３記載の発明は、請求項１または請求項２記載の交換ユニットにおいて、前記非接触型メモリタグは、交換ユニット本体に取り付けるためのテープ材を有していることを特徴としている。
【００１１】
また、請求項４記載の発明は、請求項１または請求項２記載の交換ユニットにおいて、前記非接触型メモリタグは、交換ユニット本体に取り付けるための複数枚貼り合わされた両面テープ部分を有していることを特徴としている。
【００１２】
また、請求項５記載の発明は、請求項１または請求項２記載の交換ユニットにおいて、前記非接触型メモリタグが取り付けられるべき交換ユニットのメモリアクセス可能な所定の位置には、前記非接触型メモリタグを取り付けるための爪構造が設けられていることを特徴としている。
【００１３】
また、請求項６記載の発明は、請求項１乃至請求項５のいずれか一項に記載の交換ユニットにおいて、前記梱包箱または梱包材には、前記非接触型メモリタグを収納するための収納部分が設けられていることを特徴としている。
【００１４】
また、請求項７記載の発明は、請求項１乃至請求項６のいずれか一項に記載の交換ユニットにおいて、前記所定の装置は、画像形成装置であることを特徴としている。
【００１５】
また、請求項８記載の発明は、交換ユニット本体への非接触型メモリタグの取り付け方法であって、梱包箱または梱包材に梱包されている交換ユニット本体を梱包箱または梱包材から取り出して所定の装置（例えば画像形成装置）に装着して用いるときには、梱包箱または梱包材に当初設置されている非接触型メモリタグを交換ユニット本体のメモリアクセス可能な所定の位置に移しかえて取り付けることを特徴としている。
【００１６】
また、請求項９記載の発明は、請求項８記載の非接触型メモリタグの取り付け方法において、複数枚貼り合わされた両面テープ部分を非接触型メモリタグが有している場合に、非接触型メモリタグの取り付け位置の変更の際には、使用済みのテープを剥がして使用することを特徴としている。
【発明の効果】
【００１７】
請求項１乃至請求項７記載の発明によれば、所定の装置に交換可能に装着させて用いられる交換ユニットにおいて、交換ユニット本体が梱包箱または梱包材に梱包されているときには、使用時に交換ユニット本体に取り付けられるべき非接触型メモリタグは、梱包箱または梱包材のメモリアクセス可能な所定の位置に設置されているので、交換ユニット本体が梱包箱または梱包材に梱包されている状態のときにも、非接触型メモリタグとリーダ・ライタとの間の通信が不可能となることを防止でき、かつ、交換ユニット本体の使用時には、交換ユニット本体のメモリアクセス可能な所定の位置に非接触型メモリタグを取り付けることができる。
【００１８】
特に、請求項２記載の発明によれば、請求項１記載の交換ユニットにおいて、交換ユニット本体が梱包箱または梱包材に梱包されているときに、梱包箱または梱包材に設置されている非接触型メモリタグと交換ユニット本体とはワイヤ等の所定の接続手段によって接続されているので、交換ユニット開梱時に、交換ユニット本体へのメモリタグの移しかえ忘れ（付け忘れ）を防止することができ、作業性が向上する。
【００１９】
また、請求項３記載の発明によれば、請求項１または請求項２記載の交換ユニットにおいて、前記非接触型メモリタグは、交換ユニット本体に取り付けるためのテープ材を有しているので、交換ユニットの所望の位置にメモリタグを容易に取り付けることができる。
【００２０】
また、請求項４記載の発明によれば、請求項１または請求項２記載の交換ユニットにおいて、前記非接触型メモリタグは、交換ユニット本体に取り付けるための複数枚貼り合わされた両面テープ部分を有しており、メモリタグの取り付け方法を両面テープとすることによって、工具を使用せずに容易に位置の変更が可能であり、また、テープが複数枚貼り合わされていることにより、位置変更の際に粘着力が低下することを防止することができる。
【００２１】
また、請求項５記載の発明によれば、請求項１または請求項２記載の交換ユニットにおいて、前記非接触型メモリタグが取り付けられるべき交換ユニットのメモリアクセス可能な所定の位置には、前記非接触型メモリタグを取り付けるための爪構造が設けられているので、交換ユニットのメモリアクセス可能な所定位置にメモリタグを確実に取り付けることができる。
【００２２】
また、請求項６記載の発明によれば、請求項１乃至請求項５のいずれか一項に記載の交換ユニットにおいて、前記梱包箱または梱包材には、前記非接触型メモリタグを収納するための収納部分が設けられており、これは、梱包箱または梱包材が成形の容易な発砲スチロール等で形成されているときに、容易にかつ確実にかつ収納性良く、メモリタグを梱包箱または梱包材のメモリアクセス可能な所定の位置に設置することができる。
【００２３】
また、請求項８記載の発明によれば、交換ユニット本体への非接触型メモリタグの取り付け方法であって、梱包箱または梱包材に梱包されている交換ユニット本体を梱包箱または梱包材から取り出して所定の装置（例えば画像形成装置）に装着して用いるときには、梱包箱または梱包材に当初設置されている非接触型メモリタグを交換ユニット本体の所定の位置に移しかえて取り付けるようにしており、所定の装置への交換ユニットの装着時に梱包箱または梱包材に設置されているメモリタグを交換ユニット側に付け替えることにより、交換ユニットの流通時と実際の使用時ともに１つのメモリタグだけで済み（すなわち、１つのメモリタグを交換ユニットの流通時と実際の使用時との両方で利用でき）、使用効率を上げることができる。
【００２４】
また、請求項９記載の発明によれば、請求項８記載の非接触型メモリタグの取り付け方法において、複数枚貼り合わされた両面テープ部分を非接触型メモリタグが有している場合に、非接触型メモリタグの取り付け位置の変更の際には、使用済みのテープを剥がして使用することにより、テープの粘着性を落とさずに、メモリタグを交換ユニットに確実に取り付けることができる。
【発明を実施するための最良の形態】
【００２５】
以下、本発明を実施するための最良の形態を図面に基づいて説明する。
【００２６】
（第１の形態）
本発明の第１の形態は、所定の装置に交換可能に装着させて用いられる交換ユニットにおいて、交換ユニット本体が梱包箱または梱包材に梱包されているときには、使用時に交換ユニット本体に取り付けられるべき非接触型メモリタグは、梱包箱または梱包材のメモリアクセス可能な所定の位置に設置されていることを特徴としている。
【００２７】
本発明の第１の形態では、所定の装置に交換可能に装着させて用いられる交換ユニットにおいて、交換ユニット本体が梱包箱または梱包材に梱包されているときには、使用時に交換ユニット本体に取り付けられるべき非接触型メモリタグは、梱包箱または梱包材のメモリアクセス可能な所定の位置に設置されているので、交換ユニット本体が梱包箱または梱包材に梱包されている状態のときにも、非接触型メモリタグとリーダ・ライタとの間の通信が不可能となることを防止でき、かつ、交換ユニット本体の使用時には、交換ユニット本体のメモリアクセス可能な所定の位置に非接触型メモリタグを取り付けることができる。
【００２８】
（第２の形態）
本発明の第２の形態は、第１の形態の交換ユニットにおいて、交換ユニット本体が梱包箱または梱包材に梱包されているときに、梱包箱または梱包材に設置されている非接触型メモリタグと交換ユニット本体とはワイヤ等の接続手段によって接続されていることを特徴としている。
【００２９】
本発明の第２の形態では、第１の形態の交換ユニットにおいて、交換ユニット本体が梱包箱または梱包材に梱包されているときに、梱包箱または梱包材に設置されている非接触型メモリタグと交換ユニット本体とはワイヤ等の所定の接続手段によって接続されているので、交換ユニット開梱時に、交換ユニット本体へのメモリタグの移しかえ忘れ（付け忘れ）を防止することができ、作業性が向上する。
【００３０】
（第３の形態）
本発明の第３の形態は、第１または第２の形態の交換ユニットにおいて、前記非接触型メモリタグは、交換ユニット本体に取り付けるためのテープ材を有していることを特徴としている。
【００３１】
本発明の第３の形態では、第１または第２の形態の交換ユニットにおいて、前記非接触型メモリタグは、交換ユニット本体に取り付けるためのテープ材を有しているので、交換ユニットの所望の位置にメモリタグを容易に取り付けることができる。
【００３２】
（第４の形態）
本発明の第４の形態は、第１または第２の形態の交換ユニットにおいて、前記非接触型メモリタグは、少なくとも交換ユニット本体に取り付けるための複数枚貼り合わされた両面テープ部分を有していることを特徴としている。
【００３３】
本発明の第４の形態では、第１または第２の形態の交換ユニットにおいて、前記非接触型メモリタグは、交換ユニット本体に取り付けるための複数枚貼り合わされた両面テープ部分を有しており、メモリタグの取り付け方法を両面テープとすることによって、工具を使用せずに容易に位置の変更が可能であり、また、テープが複数枚貼り合わされていることにより、位置変更の際に粘着力が低下することを防止することができる。
【００３４】
（第５の形態）
本発明の第５の形態は、第１または第２の形態の交換ユニットにおいて、前記非接触型メモリタグが取り付けられるべき交換ユニットのメモリアクセス可能な所定の位置には、前記非接触型メモリタグを取り付けるための爪構造が設けられていることを特徴としている。
【００３５】
本発明の第５の形態では、第１または第２の形態の交換ユニットにおいて、前記非接触型メモリタグが取り付けられるべき交換ユニットのメモリアクセス可能な所定の位置には、前記非接触型メモリタグを取り付けるための爪構造が設けられているので、交換ユニットのメモリアクセス可能な所定位置にメモリタグを確実に取り付けることができる。
【００３６】
（第６の形態）
本発明の第６の形態は、第１乃至第５のいずれかの形態の交換ユニットにおいて、前記梱包箱または梱包材には、前記非接触型メモリタグを収納するための収納部分が設けられていることを特徴としている。
【００３７】
本発明の第６の形態では、第１乃至第５のいずれかの形態の交換ユニットにおいて、前記梱包箱または梱包材には、前記非接触型メモリタグを収納するための収納部分が設けられており、これは、梱包箱または梱包材が成形の容易な発砲スチロール等で形成されているときに、容易にかつ確実にかつ収納性良く、メモリタグを梱包箱または梱包材のメモリアクセス可能な所定の位置に設置することができる。
【００３８】
（第７の形態）
本発明の第７の形態は、第１乃至第６のいずれかの形態の交換ユニットにおいて、前記所定の装置は、画像形成装置であることを特徴としている。
【００３９】
ここで、画像形成装置は、例えば、複写機，プリンタ，ファクシミリ，あるいは、これらのうちの少なくとも２つの機能を備えた複合機などである。また、この場合、交換ユニットは、具体的には、例えば、プロセスカートリッジ、より具体的には、トナーユニット（トナーカートリッジ），現像ユニットあるいはドラムユニットなどである。
【００４０】
（第８の形態）
本発明の第８の形態は、交換ユニット本体への非接触型メモリタグの取り付け方法であって、梱包箱または梱包材に梱包されている交換ユニット本体を梱包箱または梱包材から取り出して所定の装置（例えば画像形成装置）に装着して用いるときには、梱包箱または梱包材に当初設置されている非接触型メモリタグを交換ユニット本体のメモリアクセス可能な所定の位置に移しかえて取り付けることを特徴としている。
【００４１】
本発明の第８の形態では、梱包箱または梱包材に梱包されている交換ユニット本体を梱包箱または梱包材から取り出して所定の装置（例えば画像形成装置）に装着して用いるときには、梱包箱または梱包材に当初設置されている非接触型メモリタグを交換ユニット本体の所定の位置に移しかえて取り付けるようにしており、所定の装置への交換ユニットの装着時に梱包箱または梱包材に設置されているメモリタグを交換ユニット側に付け替えることにより、交換ユニットの流通時と実際の使用時ともに１つのメモリタグだけで済み（すなわち、１つのメモリタグを交換ユニットの流通時と実際の使用時との両方で利用でき）、使用効率を上げることができる。
【００４２】
（第９の形態）
本発明の第９の形態は、第８の形態の非接触型メモリタグの取り付け方法において、複数枚貼り合わされた両面テープ部分を非接触型メモリタグが有している場合に、非接触型メモリタグの取り付け位置の変更の際には、使用済みのテープを剥がして使用することを特徴としている。
【００４３】
本発明の第９の形態では、複数枚貼り合わされた両面テープ部分を非接触型メモリタグが有している場合に、非接触型メモリタグの取り付け位置の変更の際には、使用済みのテープを剥がして使用することにより、テープの粘着性を落とさずに、メモリタグを交換ユニットに確実に取り付けることができる。
【実施例１】
【００４４】
図１は、本発明が適用される画像形成装置の構成例を示す図である。なお、ここで、画像形成装置とは、複写機（コピー），プリンタ，ファクシミリ，あるいは、これらのうちの少なくとも２つの機能を備えた複合機などである。図１の例では、画像形成装置は、複合機として構成されている。
【００４５】
すなわち、図１の例では、画像形成装置は、画像形成装置の全体制御を行うコントローラ５０１と、コントローラ５０１に接続された操作部制御ボード５０２と、画像データを記憶するＨＤＤ５０３と、アナログ回線を使用して外部との通信を行う通信コントロール装置インターフェースボード５０４と、ＬＡＮインターフェースボード５０５と、汎用ＰＩＣバスに接続されたＦＡＸコントロールユニット（ＦＣＵ）５０６と、ＩＥＥＥ１３９４ボード，無線ＬＡＮボード，ＵＳＢボード等５０７と、ＰＣＩバスでコントローラ５０１に接続されたエンジン制御ボード５１０と、エンジン制御ボード５１０に接続された画像形成装置のＩ／Ｏを制御するＩ／Ｏ制御ボード５１３と、コピー原稿（画像）を読み込むスキャナーボード（ＳＢＵ）５１１と、画像データをドラム上に書き込むＬＤＢボード５１２等で構成されている。
【００４６】
また、図１の画像形成装置には、原稿を光学的に読み取る読取ユニット３００が設けられており、読取ユニット３００は、原稿に対する原稿照明光源の走査を行い、ＣＣＤ５２０に原稿像を結像するようになっている。すなわち、原稿像すなわち原稿に対する光照射の反射光をＣＣＤ５２０で光電変換してＲ，Ｇ，Ｂ画像信号を生成するようになっている。
【００４７】
図１の画像形成装置において、コントローラ５０１には、ＣＰＵの制御を行うＲＯＭ、ＣＰＵが使用する作業用メモリであるＳＲＡＭ、ＳＲＡＭのバックアップと時計を内臓したＮＶ−ＲＡＭ、システバス制御，フレームメモリ制御，ＦＩＦＯ等のＣＰＵ周辺を制御するＡＳＩＣ等が搭載されており、コントローラ５０１は、スキャナアプリケーション，ファクシミリアプリケーション，プリンタアプリケーションおよびコピーアプリケーション等の複数アプリケーションの機能を有し、システム全体の制御を行うようになっている。
【００４８】
また、Ｉ／Ｏ制御ボード５１３とエンジン制御ボード５１０とは、同期シリアルインターフェース接続されている。
【００４９】
Ｉ／Ｏ制御ボード５１３には、サブＣＰＵ５１７が搭載されており、Ｐセンサー，Ｔセンサー等のアナログ制御も含む画像形成装置のＩ／Ｏ制御を行っている。Ｉ／Ｏ制御ボード５１３では、新しい交換ユニット（プロセスカートリッジ）の装着の検知等がなされる。
【００５０】
そして、Ｉ／Ｏ制御ボード５１３のインターフェース回路５１５は、交換ユニット（プロセスカートリッジ）に取り付けられているメモリタグとのインターフェース回路（非接触通信手段を介してのインターフェース回路）としての機能を有している。ここで、インターフェース回路５１５と非接触通信手段とは、非同期のシリアルインターフェースで接続されている。
【００５１】
また、ＰＳＵ５１４は、画像形成装置を制御する電源を供給するユニットであり、メインＳＷにより、商用電源を供給する。このメインＳＷが投入された場合も、交換ユニット（プロセスカートリッジ）の装着確認がなされる。
【００５２】
図２には、本発明に用いられる非接触型メモリタグの構成例が示されている。
【００５３】
すなわち、図２には、所定の装置（例えば図１に示した画像形成装置）の本体（画像形成装置本体）側の非接触通信回路９と交換ユニット（例えばプロセスカートリッジ）側の非接触通信回路１０との通信インターフェース部分が詳細に示されている。
【００５４】
図２を参照すると、画像形成装置本体側のＣＰＵ１１（図１のインタフェース回路５１５に対応）と非接触通信回路９とは、シリアルインターフェースで接続されており、このシリアルインタフェースにより非接触通回路９と本体側のＣＰＵ１１との間で、信号の送受信が行なわれる。ここで、画像形成装置本体側の非接触通信回路９は、交換ユニット（例えばプロセスカートリッジ）側の非接触通信回路１０と同じ回路構成になっている。非接触通信回路９は、画像形成装置本体側のＣＰＵ１１から出力された信号を伝送用の所定信号に変調して、送受アンテナに送る。交換ユニット（例えばプロセスカートリッジ）側の非接触通信回路１０は、受信用アンテナ８で受けた受信信号を受信回路１２で増幅して復調回路４に送り、復調回路４は、伝送用の所定信号に復調後、制御回路２に送るようになっている。そして、制御回路２は、送られた信号が不揮発性メモリ１に記憶する信号であれば、この信号を不揮発性メモリ１に送信して、不揮発性メモリ１に記憶させるようになっている。また、制御回路２は、画像形成装置本体から受信した信号が、不揮発性メモリ１の内容を画像形成装置本体に送信する指令であれば、不揮発性メモリ１の内容を変調回路３に送信する。変調回路３は、不揮発性メモリ１の内容を伝送用の所定信号に変調して、送信用アンテナ７に送る。
【００５５】
画像形成装置本体側の非接触通信回路９は、受信用アンテナで受けた受信信号を受信回路で増幅し復調回路に送り、復調回路は、これを伝送用の所定信号に復調した後、制御回路を介して、画像形成装置本体側のＣＰＵ１１に送る。
【００５６】
なお、交換ユニット（例えばプロセスカートリッジ）側において、非接触通信回路１０の電源回路５は、受信用アンテナ８の電磁波を整流して電源を供給するようになっている。また、不揮発性メモリ１には、交換ユニット（例えばプロセスカートリッジ）の制御に必要な下記のような情報が記憶されている。
【００５７】
すなわち、不揮発性メモリ１には、露光量，帯電量，現像バイアスなどの作像条件、カートリッジロット、製造年月日、種類、存期間使認識番号、用開始年月日、コピー枚数、リサイクル回数、リサイクル回数の上限、カートリッジの構成部品の交換時期、トナーロット、製造年月日、充填量、種類、保存期間、リサイクル回数、リサイクル回数の上限等の情報が記憶されている。
【００５８】
図３（ａ），（ｂ），（ｃ）は本発明の実施例を説明するための図である。なお、この実施例では、交換ユニット（プロセスカートリッジ）は、トナーボトルとなっており、図３（ａ）には、トナーボトルの一例が示されている。また、図３（ｂ）には、トナーボトルが梱包箱にセットされた状態が示されている。また、図３（ａ），（ｃ）において、左側はトナーボトルの側面図、右側は正面図である。
【００５９】
梱包には発砲スチロール等の梱包材（固定部材）を使用してトナーボトルの位置を固定するとともに、外部からの過重に対する保護を行うことが多い。
【００６０】
ところで、従来においては、画像形成装置（例えば、複写機、あるいは、プリンタ、あるいは、ファクシミリ、あるいは、これらの複合機など）本体のシステム構成のため、非接触型メモリタグが交換ユニット（カートリッジ）の中央部である場合や梱包材（固定部材）があるため梱包箱の表面近傍に非接触型メモリタグを設置できない場合があり、このような場合、梱包状態での非接触型メモリタグへのアクセスが困難となってしまう。
【００６１】
本発明では、図３（ｂ）に示すように、非接触型メモリタグ（ＲＦＩＤ）を梱包時にはメモリアクセス可能な位置Ａに設置することにより、梱包状態でも非接触型メモリタグの使用が可能となる。
【００６２】
また、本発明では、梱包箱または梱包材に梱包されている交換ユニット本体を梱包箱または梱包材から取り出して所定の装置（例えば画像形成装置）に装着して用いるときには、梱包箱または梱包材に当初設置されている非接触型メモリタグを交換ユニット本体のメモリアクセス可能な所定の位置に移しかえて取り付ける。
【００６３】
図３（ｃ）には、図３（ｂ）のトナーボトルのメモリアクセス可能な所定の位置Ｂに非接触型メモリタグ（ＲＦＩＤ）を取り付けた状態が示されている。また、図３（ｂ）の例では、交換ユニット（カートリッジ）とメモリタグとは、ワイヤ等の所定の接続手段で接続されている。これにより、開梱したときに交換ユニット本体へのメモリタグの移しかえ忘れを防止できる。
【００６４】
また、本発明では、非接触型メモリタグに両面テープを複数枚貼り合わせておき、非接触型メモリタグの取り付け位置の変更の際には、使用済みのテープを剥がして使用することにより、テープの粘着性を落とさずに、メモリタグを確実に取り付けることができる。
【００６５】
また、梱包材（固定部材）としては発泡スチロールが使用されることが多いが、発砲スチロールの場合は形状の成形が容易なので、梱包時にはテープ材を使用せずに、発砲スチロールにメモリタグの埋込み部（収納部）を設けて発砲スチロールの埋込み部にメモリタグを埋込んでこれを取り付け、交換ユニット本体にメモリタグを取り付けるときのみテープを使用するように構成することも可能である。また、交換ユニット本体へメモリタグを確実に取り付けることができるように交換ユニット（カートリッジ）のメモリタグ取り付け部に爪構造を形成し、この爪構造にメモリタグを取り付けることで、メモリタグを交換ユニットに確実に取り付けることもできる。
【産業上の利用可能性】
【００６６】
本発明は、ディジタル複写機やＭＦＰ（コピー、ＦＡＸ、プリンター、スキャナー等の複合機）、計測器等に利用可能である。
【図面の簡単な説明】
【００６７】
【図１】本発明が適用される画像形成装置の構成例を示す図である。
【図２】本発明に用いられる非接触型メモリタグの構成例を示す図である。
【図３】本発明の実施例を説明するための図である。
【符号の説明】
【００６８】
５０１          コントローラ
５０２          操作部制御ボード
５０３          ＨＤＤ
５０４          通信コントロール装置インターフェースボード
５０５          ＬＡＮインターフェースボード
５０６          ＦＡＸコントロールユニット
５１０          エンジン制御ボード
５１１          スキャナーボード
５１２          ＬＤＢユニット
５１３          Ｉ／Ｏ制御ボード
５１５          インターフェース回路
３００          読取ユニット
５２０          ＣＣＤ
１              不揮発性メモリ
９，１０        非接触通信回路
１１            ＣＰＵ
２              制御回路
３              変調回路
４              復調回路
５              電源回路
６              送信ドライバ
７              送信用アンテナ
８              受信用アンテナ
１２            受信回路
【図１】
2006194947.tif 000003
【図２】
2006194947.tif 000004
【図３】
2006194947.tif 000005